(57)【特許請求の範囲】
【請求項１】
主となる警備エリアとしての少なくとも１つの親警備エリア及びその他の警備エリアとしての少なくとも１つの子警備エリアに設置された火災、侵入等の異常を検出するセンサ群と、前記親警備エリア及び前記子警備エリアに設置され、警備の開始／解除、前記センサ群の状態表示、音声出力機能を有した操作器と、親警備エリア側操作器と子警備エリア側操作器の間に配置され、かつ一般加入電話回線又は専用回線に接続され、制御部及びインターフェース部を備えた警備端末装置を具備して構成された親子警備システムにおいて、任意の前記親警備エリア側操作器を操作して当該親警備エリアを警備状態にする際に解除状態の子警備エリアがある場合は、当該解除状態の子警備エリアを警備状態に切り替え、前記子警備エリアの警備状態切替装置は前記親警備エリアが警備中の時のみ行えるように前記制御部にて制御され、
任意の前記親設備エリア側操作器を操作して当該親エリアを警備解除状態にする際に警備警備状態の子エリアがある場合は、当該警備状態の子警備エリアを解除状態に切り替えることを特徴とする親子警備システム。
【請求項２】
前記親警備エリアの警備状態が警備解除時に前記子警備エリアの警備状態を警備解除から警備中に切替操作が行われた場合には、警備切替異常として、操作された子警備エリアに接続されている子警備エリア側操作器に異常警告が通知されることを特徴とする請求項１記載の親子警備システム。
【請求項３】
前記親警備エリアの警備状態が前記親警備エリア側操作器にて警備中に切替えると前記制御部が前記親警備エリア側センサ群の監視を開始し、前記親警備エリア側操作器の警備状態の切替えにより前記親警備エリアと前記子警備エリアの警備状態が異なった場合には、前記制御部が子警備エリアの警備状態を親警備エリアの警備状態と同じになるように切替制御し、前記親警備エリアと前記子警備エリアの警備状態中に前記センサ群に反応があると、前記制御部が警備異常と判断して前記インターフェース部を介して監視センタに警報を送出することを特徴とする請求項１記載の親子警備システム。
【請求項４】
前記親警備エリア及び前記子警備エリアの警備状態が警備中の場合に、前記子警備エリア側操作器にて該子警備エリアの警備状態を警備解除にすると、前記制御部は前記子警備エリア側センサ群による監視を停止して警備解除状態となり、その後再び前記子警備エリア側操作器にて該子警備エリアの警備状態を警備中にすると、前記制御部は前記子警備エリア側センサ群による監視を再開することを特徴とする請求項１記載の親子警備システム。
【発明の詳細な説明】
【０００１】
【発明の属する技術分野】
本発明は不法侵入を監視して警報を発する防犯警報装置等に利用される親子警備システムに関するものである。
【０００２】
【従来の技術】
従来、事務所及び事務所に隣接された倉庫（倉庫が複数の場合もある）の複数のエリアを警備する場合、以下の２つの構成方法が取られていた。
【０００３】
第１の方法（以下、第１の従来技術と呼ぶ。）では、事務所及び倉庫を別々の警備エリアとして、各々警備状態を切り換えて警備を行い、事務所及び倉庫にはそれぞれの警備状態切替操作器が設置されている。夜間及び朝、事務所と倉庫の警備状態に切り替える際には、事務所及び倉庫の操作器をそれぞれ操作して警備状態を切り替える。夜間の警備状態中に倉庫への搬入がある場合には、倉庫に設置されている操作器を操作して倉庫だけを警備解除状態にして搬入を行う。
【０００４】
第２の方法（以下、第２の従来技術と呼ぶ。）では、事務所及び倉庫を同一の警備エリアとして警備を行い、事務所及び倉庫に警備状態切替操作器が設置されているが、どちらを操作しても両方の警備エリアの警備状態が切り替わる。夜間及び朝、事務所と倉庫の警備状態を切り替える際には、事務所または倉庫のどちらかの操作器を操作すれば警備状態を切り替えることがてきる。夜間の警備状態中に倉庫への搬入がある場合、倉庫に設置されている操作器を操作して倉庫を警備解除状態すると、同時に事務所も警備解除状態になる。
【０００５】
又、特開昭６１−２７２８９８号公報には、複数の監視場所にそれぞれ配置される複数の子機と、各子機からの信号に応じて監視場所の識別と侵入の有無の検出を行う親機で構成される侵入監視装置が提案されている。以下、この公知技術を第３の従来技術と呼ぶ。
【０００６】
侵入監視装置は監視場所を複数のゾーンに分けてゾーン別に侵入監視を行うことができ、親機には複数のゾーンに対する監視機能のＯＮ・ＯＦＦを個別に行う監視ＯＮ・ＯＦＦスイッチを設け、各子機には複数のゾーンから所望のゾーンを選択するゾーン選択スイッチ及び監視信号の送信を一時的に停止する部分解除スイッチが設けられている。
【０００７】
監視場所に設置された各子機ごとにゾーン選択スイッチにより任意のゾーンを選択し、親機の監視ＯＮ・ＯＦＦスイッチで該当するゾーンの監視機能をＯＮ・ＯＦＦすることにより、子機の設けられた監視場所の侵入監視がゾーン別に行われる。監視中に部分的に任意の監視場所の監視を解除したい場合には、監視を解除したい監視場所に設置してある子機の部分解除スイッチを「入」にすることにより行うことができる。
【０００８】
【発明が解決しようとする課題】
上記した第１の従来技術では、事務所と倉庫を別々に警備状態を切り換えているため、夜間の警備状態中に倉庫への搬入がある場合には倉庫だけを警備解除状態にして搬入を行い、事務所への部外者の侵入を防ぐことができるが、夜間及び朝、事務所と倉庫の警備状態を切り替える際には、複数の警備状態の切り替え操作が必要になる。この場合、切替操作器にカギを使用していることが多く保管及び携帯等に問題点がある。
【０００９】
又、上記した第２の従来技術では、夜間及び朝、事務所と倉庫の警備状態に切り替える際には、事務所または倉庫のどちらかの操作器を操作すれば切り替えられるが、夜間の警備状態中に倉庫への搬入がある場合に倉庫を操作器を操作して、倉庫を警備解除すると事務所も警備解除状態になり、事務所の機密が保持できないという問題があった。
【００１０】
又、上記した第３の従来技術では、侵入監視装置では監視場所を複数のゾーンにわけて、ゾーン別にそれぞれ監視のＯＮ・ＯＦＦを切り替えて警備を行っている。例えば、事務所及び事務所に隣接された倉庫（倉庫は複数の場合もある）を警備する場合において、夜間に事務所及び倉庫を警備状態する時には複数の警備状態の切替操作が必要になる。また、夜間の警備中の時に搬入の為に倉庫を警備解除にする際、子機の部分解除スイッチにより警備状態を解除して搬入を行うが搬入終了後、部分解除スイッチを戻さずに帰ってしまった場合には、スイッチの切替忘れに気付くまで夜間の警備中の時でもその監視場所だけ監視されないという問題がある。
【００１１】
【課題を解決するための手段】
本発明によれば、主となる警備エリアとしての少なくとも１つの親警備エリア及びその他の警備エリアとしての少なくとも１つの子警備エリアに設置された火災、侵入等の異常を検出するセンサ群と、前記親警備エリア及び前記子警備エリアに設置され、警備の開始／解除、前記センサ群の状態表示、音声出力機能を有した操作器と、親警備エリア側操作器と子警備エリア側操作器の間に配置され、かつ一般加入電話回線又は専用回線に接続され、制御部及びインターフェース部を備えた警備端末装置を具備して構成された親子警備システムにおいて、任意の前記親警備エリア側操作器を操作して当該親警備エリアを警備状態にする際に解除状態の子警備エリアがある場合は、当該解除状態の子警備エリアを警備状態に切り替え、前記子警備エリアの警備状態切替装置は前記親警備エリアが警備中の時のみ行えるように前記制御部にて制御され、
任意の前記親設備エリア側操作器を操作して当該親エリアを警備解除状態にする際に警備警備状態の子エリアがある場合は、当該警備状態の子警備エリアを解除状態に切り替えることを特徴とする親子警備システムが得られる。
【００１２】
さらに、本発明によれば、前記親警備エリアの警備状態が警備解除時に前記子警備エリアの警備状態を警備解除から警備中に切替操作が行われた場合には、警備切替異常として、操作された子警備エリアに接続されている子警備エリア側操作器に異常警告が通知されることを特徴とする親子警備システムが得られる。
【００１３】
さらに、本発明によれば、前記親警備エリアの警備状態が前記親警備エリア側操作器にて警備中に切替えると前記制御部が前記親警備エリア側センサ群の監視を開始し、前記親警備エリア側操作器の警備状態の切替えにより前記親警備エリアと前記子警備エリアの警備状態が異なった場合には、前記制御部が子警備エリアの警備状態を親警備エリアの警備状態と同じになるように切替制御し、前記親警備エリアと前記子警備エリアの警備状態中に前記センサ群に反応があると、前記制御部が警備異常と判断して前記インターフェース部を介して監視センタに警報を送出することを特徴とする親子警備システムが得られる。
【００１４】
さらに、本発明によれば、前記親警備エリア及び前記子警備エリアの警備状態が警備中の場合に、前記子警備エリア側操作器にて該子警備エリアの警備状態を警備解除にすると、前記制御部は前記子警備エリア側センサ群による監視を停止して警備解除状態となり、その後再び前記子警備エリア側操作器にて該子警備エリアの警備状態を警備中にすると、前記制御部は前記子警備エリア側センサ群による監視を再開することを特徴とする親子警備システムが得られる。
【００１５】
さらに、本発明によれば、前記親警備エリア及び前記子警備エリアの警備状態が警備中の場合に、前記子警備エリア側操作器にて該子警備エリアの警備状態を警備解除にすると、前記制御部は前記子警備エリア側センサ群による監視を停止して警備解除状態となり、その後再び前記子警備エリア側操作器にて該子警備エリアの警備状態を警備中にすると、前記制御部は前記子警備エリア側センサ群による監視を再開することを特徴とする親子警備システムが得られる。
【００１６】
【作用】
機械警備端末装置により複数の警備エリアを警備する場合、主となる警備エリアを親警備エリア、その他の警備エリアを子警備エリアとして構成し、親警備エリアの警備状態を切り替えると子警備エリアの警備状態も親警備エリアと同じ警備状態に切り替わり、子警備エリアの警備状態切替は親警備エリアが警備状態時のみに行うことができ警備解除時に行うと、異常警告を通知することで効率的に警備状態の切替を行うことができる。すなわち、夜間及び朝、事務所と倉庫の警備状態を切り替える際、複数の警備状態の切替えが不要となり、倉庫の警備解除は事務所が警備中のときに限り行えるため、事務所の機密保持が保てる。
【００１７】
【発明の実施の形態】
本発明は、一般加入電話回線又は専用回線に接続される機械警備端末装置を有するシステムであり、警備開始、解除信号及び警備異常信号を警備会社の監視センタに自動通報する機能を有する。
【００１８】
機械警備端末装置に接続される警備切換キーボックスを警備側に操作すると、監視センタと回線を接続して、警備開始信号と自己の識別信号を監視センタへ送信し、送信が終了すると回線を開放して警備状態で待機する。また、警備開始後に警備対象に設けられた各種検知器（火災、不法侵入等）が異常を検知すると、警備開始時と同様に監視センタと回線を接続し、警備異常信号と自己の識別信号を送信する。監視センタではこの警備異常信号及び識別信号を受信すると、警備先名称と警備異常の種類を監視センタの表示装置に表示し、警備員を急行させたり、警察や消防に通報する等の対応を行う。また、警備解除の場合も警備開始のときと同様に、解除信号と識別信号を監視センタへ送信する。
【００１９】
以下、本発明の一実施の形態について図１及び図２を参照して具体的に説明する。図１及び図２において、警備の開始／解除、センサの状態表示、音声出力機能を持った操作器４と火災、侵入等の異常を検出するセンサ群６は事務所（親警備エリア）に設置され、同じく操作器５とセンサ群７は倉庫（子警備エリア）に設置されている。
【００２０】
次に本発明の動作について説明する。親警備エリアの警備状態が警備解除時に操作器４を警備側に操作すると、制御部２はセンサ群６の監視を開始し親警備エリアは警備状態になる。ここで、操作器４の警備状態の切替操作により、親警備エリアと子警備エリアの警備状態が異なった場合には、制御部２は子警備エリアの警備状態を親警備エリアと同じ警備状態に切り替える（親警備エリアと子警備エリアの警備状態を同じにする）。各警備エリアが警備状態中にセンサ群６及びセンサ群７に反応があると、制御部２は警備異常と判断して局線インターフェース部３を介して、監視センタに警報を送出する。また、親警備エリアが警備中の時に操作器４を警備解除側に操作すると、警備中に切替わる時と同様な動作が行われ警備解除となる。
【００２１】
親警備エリア及び子警備エリアの警備状態が警備中の場合に限り、操作器５を警備解除側に操作すると制御部２はセンサ群７の監視を停止して、警備解除状態となる。その後、操作器５を警備側に操作すると制御部２はセンサ群７の監視を再び開始して、警備状態となる。
【００２２】
親警備エリアの警備状態が警備解除時に操作器５を警備解除側に操作すると制御部２は警備切替異常と判断し、操作器５よりアラーム音を発信して警備状態に切り替われないことを示す。
【００２３】
従って以上の機能により、例えば事務所及び事務所に隣接された倉庫（倉庫は複数の場合もある）を警備する場合において、夜間、事務所及び倉庫を警備状態に切り替える際には事務所（親警備エリア）の操作器で操作を行えば事務所と倉庫の両方が警備状態に切り替わり、警備状態中に搬入のために倉庫だけを警備解除したい時は倉庫（子警備エリア）の操作器を操作すれば倉庫だけを警備解除にすることができ、効率的に警備状態の切替を行うことができる。さらに、搬入終了後に警備状態に戻さずに帰ってしまった場合においても、次の日の夜間に事務所（親警備エリア）の操作器により警備状態に切り替えれば、すべての警備エリアは警備状態に切り替わる。
【００２４】
【発明の効果】
本発明によれば、夜間及び朝、事務所と倉庫の警備状態を切り替える際、複数の警備状態の切替えが不要となり、倉庫の警備解除は事務所が警備中のときに限り行えるため、事務所の機密保持が保てる。
【図面の簡単な説明】
【図１】本発明の親子警備システムの構成を示した図である。
【図２】本発明の親子警備システムの機能ブロック図である。
【符号の説明】
１    警備端末装置
２    制御部
３    局線インターフェース部
４    操作器
５    操作器
６    センサ群
７    センサ群
【図１】
0003716059.tif 000002
【図２】
0003716059.tif 000003